(57)【要約】【課題】電子部品の基板への固定作業が容易に行え、また電子部品の側面から突出して基板側に折り曲げられた端子板を容易に基板に接続・固定することができる基板への電子部品取付構造を提供する。【解決手段】回転式電子部品１０の基板２００への取り付けを、回転式電子部品１０の取付部５３に設けた係合部６３を基板２００に設けた基板係合部２０３にスナップイン係合することによって行う。一方回転式電子部品１０の側面から突出する端子板２５，３９を、基板２００側に折り曲げ、折り曲げた端子板２５，３９の先端側の部分を回転式電子部品１０の側面から突出するように設けた端子板保持部５５に保持した上で、基板２００に設けた端子板接続部２０５に挿入して低融点金属２０７で接続する。【選択図】図６
2005203322.tif 000002
【特許請求の範囲】
【請求項１】
内部から突出するシャフトを回転及び／又はシャフトの軸方向に押圧することでその電気的出力を変化する電子部品と、基板とを具備し、
前記基板に設けた貫通部に前記電子部品のシャフトを挿入した状態で前記電子部品を前記基板に固定する基板への電子部品取付構造において、
前記電子部品は、この電子部品に設けた係合部を前記基板に設けた基板係合部にスナップイン係合によって取り付けることで基板に固定されることを特徴とする基板への電子部品取付構造。
【請求項２】
前記電子部品にはその側面から突出する取付部を設け、この取付部の前記基板に対向する側の面を基板取付面とし、且つこの基板取付面上に前記係合部を設けたことを特徴とする請求項１に記載の基板への電子部品取付構造。
【請求項３】
前記電子部品の係合部は、弾性を有する突起部の先端に係止爪を設けて構成され、一方前記基板の基板係合部は、前記爪をスナップイン係合して係止する貫通孔によって構成されていることを特徴とする請求項１又は２に記載の基板への電子部品取付構造。
【請求項４】
内部から突出するシャフトを回転及び／又はシャフトの軸方向に押圧することでその電気的出力を変化する電子部品と、基板とを具備し、
前記基板に設けた貫通部に前記電子部品のシャフトを挿入した状態で前記電子部品を前記基板に固定する基板への電子部品取付構造において、
前記電子部品の側面から突出する端子板を、前記基板側に折り曲げ、前記折り曲げた端子板の先端側の部分を前記電子部品の側面から突出するように設けた端子板保持部に保持した上で、前記基板に設けた端子板接続部に接続することを特徴とする基板への電子部品取付構造。
【請求項５】
前記端子板保持部と前記基板との対向する面の間には隙間が設けられることを特徴とする請求項４に記載の基板への電子部品取付構造。
【請求項６】
前記電子部品は前記シャフトによって操作される電子部品本体部の他にこの電子部品本体部に積層してスペーサ部材を取り付け、このスペーサ部材の外周側面から突出するように設けた取付部を基板に固定し、
一方前記端子板保持部も、スペーサ部材の外周側面から突出して設けられていることを特徴とする請求項４又は５に記載の基板への電子部品取付構造。
【請求項７】
前記端子板保持部は、前記各端子板を挿通する貫通孔からなる保持部を有し、
この保持部の各端子板を挿入する側の開口の周囲の辺を、この開口の内径が保持部内部の内径に比べて広がるテーパ面としたことを特徴とする請求項４又は５又は６に記載の基板への電子部品取付構造。
【発明の詳細な説明】
【技術分野】
【０００１】
本発明は、内部からシャフトを突出する構造の電子部品を基板に取り付けるのに用いて好適な基板への電子部品取付構造に関するものである。
【背景技術】
【０００２】
従来、電子部品の中には、一本のシャフト又は同一回転軸中心に回転する多重のシャフトに対して複数の回転式電子部品本体部をシャフトの軸方向に積み重ねて設置してなる電子部品がある（例えば特許文献１の図２参照）。この種の電子部品は、前記シャフトを回転することによって前記複数の回転式電子部品本体部をそれぞれ回転操作できるように構成されている。
【０００３】
図７は上記構造の電子部品４５０を基板４００に取り付ける取付構造の一例を示す側面図である。同図に示すようにこの電子部品４５０は、二つの回転式電子部品本体部４６０，４７０をシャフト４５１の軸方向に積み重ねて一体化して構成されている。また各回転式電子部品本体部４６０，４７０の側面からはそれらの入出力端子である金属板製の端子板４６１，４７１が突出している。
【０００４】
そして基板４００に設けた貫通部４０１にその下面側から電子部品４５０のシャフト４５１及びその軸受部材４５３を挿入した状態で、ナット等の固定手段４８０を軸受部材４５３の外周に設けたネジ部に螺合して固定する。一方このとき端子板４６１，４７１は、各回転式電子部品本体部４６０，４７０の側面から突出した部分で基板４００側に折り曲げられており、折り曲げられた端子板４６１，４７１の先端側の部分を基板４００に設けた貫通孔からなる端子板接続部４０３に挿入し、半田等の固定手段４０７によって端子板接続部４０３の周囲に設けられた基板４００の回路パターンに接続・固定される。そしてシャフト４５１を回転すれば、例えば二つの回転式電子部品本体部４６０，４７０がそれぞれ回転駆動され、端子板４６１，４７１に出力される電気的出力がそれぞれ変化する。
【０００５】
しかしながら上記従来の基板４００への電子部品４５０の取付構造の場合、ナット等の固定手段４８０によって電子部品４５０を基板４００に固定しなければならないのでその固定作業が煩雑であった。
【０００６】
また各回転式電子部品本体部４６０，４７０の側面から突出する端子板４６１，４７１は、これらを基板４００方向に略垂直に折り曲げなければならないので、各端子板４６１，４７１の折り曲げ位置や折り曲げ角度の誤差から、各端子板４６１，４７１の先端を基板４００の各端子板接続部４０３に挿入する作業が困難であった。
【特許文献１】実開平３−１２６００３号公報
【発明の開示】
【発明が解決しようとする課題】
【０００７】
本発明は上述の点に鑑みてなされたものでありその目的は、電子部品の基板への固定作業が容易に行える基板への電子部品取付構造を提供することにある。
【０００８】
また本発明の目的は、電子部品の側面から突出して基板側に折り曲げられた端子板を容易に基板に接続・固定することができる基板への電子部品取付構造を提供することにある。
【課題を解決するための手段】
【０００９】
本願請求項１に記載の発明は、内部から突出するシャフトを回転及び／又はシャフトの軸方向に押圧することでその電気的出力を変化する電子部品と、基板とを具備し、前記基板に設けた貫通部に前記電子部品のシャフトを挿入した状態で前記電子部品を前記基板に固定する基板への電子部品取付構造において、前記電子部品は、この電子部品に設けた係合部を前記基板に設けた基板係合部にスナップイン係合によって取り付けることで基板に固定されることを特徴とする基板への電子部品取付構造にある。
【００１０】
本願請求項２に記載の発明は、前記電子部品にはその側面から突出する取付部を設け、この取付部の前記基板に対向する側の面を基板取付面とし、且つこの基板取付面上に前記係合部を設けたことを特徴とする請求項１に記載の基板への電子部品取付構造にある。
【００１１】
本願請求項３に記載の発明は、前記電子部品の係合部は、弾性を有する突起部の先端に係止爪を設けて構成され、一方前記基板の基板係合部は、前記爪をスナップイン係合して係止する貫通孔によって構成されていることを特徴とする請求項１又は２に記載の基板への電子部品取付構造にある。
【００１２】
本願請求項４に記載の発明は、内部から突出するシャフトを回転及び／又はシャフトの軸方向に押圧することでその電気的出力を変化する電子部品と、基板とを具備し、前記基板に設けた貫通部に前記電子部品のシャフトを挿入した状態で前記電子部品を前記基板に固定する基板への電子部品取付構造において、前記電子部品の側面から突出する端子板を、前記基板側に折り曲げ、前記折り曲げた端子板の先端側の部分を前記電子部品の側面から突出するように設けた端子板保持部に保持した上で、前記基板に設けた端子板接続部に接続することを特徴とする基板への電子部品取付構造にある。
【００１３】
本願請求項５に記載の発明は、前記端子板保持部と前記基板との対向する面の間には隙間が設けられることを特徴とする請求項４に記載の基板への電子部品取付構造にある。
【００１４】
本願請求項６に記載の発明は、前記電子部品は前記シャフトによって操作される電子部品本体部の他にこの電子部品本体部に積層してスペーサ部材を取り付け、このスペーサ部材の外周側面から突出するように設けた取付部を基板に固定し、一方前記端子板保持部も、スペーサ部材の外周側面から突出して設けられていることを特徴とする請求項４又は５に記載の基板への電子部品取付構造にある。
【００１５】
本願請求項７に記載の発明は、前記端子板保持部は、前記各端子板を挿通する貫通孔からなる保持部を有し、この保持部の各端子板を挿入する側の開口の周囲の辺を、この開口の内径が保持部内部の内径に比べて広がるテーパ面としたことを特徴とする請求項４又は５又は６に記載の基板への電子部品取付構造にある。
【発明の効果】
【００１６】
請求項１，請求項２，請求項３に記載の発明によれば、電子部品の係合部を基板の基板係合部にスナップイン係合によって取り付けることで電子部品を基板に固定するので、電子部品の基板への固定作業が容易且つ確実に行える。
【００１７】
請求項４に記載の発明によれば、電子部品の側面から突出して基板側に折り曲げられた端子板の先端側の部分を電子部品の側面から突出するように設けた端子板保持部に保持した上で、基板に設けた端子板接続部に接続するので、電子部品を基板に取り付ける際に、電子部品の端子板を基板の端子板接続部に容易且つ確実に接続できる。
【００１８】
請求項５に記載の発明によれば、端子板保持部と基板との対向する面の間に隙間を設けたので、端子板を基板に半田等によって固定する際の熱が端子板保持部に伝わりにくくなり、端子板保持部が熱によって変形等することを確実に防止できる。
【００１９】
請求項６に記載の発明によれば、電子部品に取り付けたスペーサ部材に基板への取付部と端子板保持部とを設けたので、部品点数の削減と構造の簡素化が図れる。
【００２０】
請求項７に記載の発明によれば、端子板保持部に各端子板を挿通する保持部を設け、この保持部の各端子板を挿入する側の開口の周囲の辺をテーパ面としたので、各端子板の保持部への挿入が容易に行え、その組み立てが容易になる。
【発明を実施するための最良の形態】
【００２１】
以下、本発明の実施形態を図面に基づいて詳細に説明する。
図１，図２は本発明の一実施形態にかかる電子部品（以下この実施形態では「回転式電子部品」という）１０を示す図であり、図１は斜視図、図２（ａ）は平面図、図２（ｂ）は側面図である。両図に示すように回転式電子部品１０は、第一の電子部品本体部２０の下側に第二の電子部品本体部３０とプッシュロック機構部４０とをこの順番で重ね合わせるとともに、第一の電子部品本体部２０の上側にスペーサ部材５０と軸受部材９０とを重ね合わせ、さらに軸受部材９０側からシャフト１２０を突出し、これら各部材を固定ピン１３０によって一体に固定して構成されている。以下各構成部品について説明する。
【００２２】
図３は回転式電子部品１０の分解斜視図である。同図において第一の電子部品本体部２０は回転式可変抵抗器であり、略矩形状を有する箱型の合成樹脂製のケース２１の上部に設けた凹部２３内にストッパー部材１００を収納するとともに、その下面側に設けた図示しない凹部内に摺動子を取り付けた図示しない摺動型物と、前記摺動子が摺接する抵抗体パターンを設けた図示しない基板（例えばフレキシブル基板）を収納することで構成されている。この基板には金属板製の端子板２５の一端が接続され、これら端子板２５はケース２１の一側面から外部に突出して突出した部分のそれぞれ同一部分が上方向（後述するシャフト１２０の軸方向Ｓにおけるシャフト１２０側に向く方向）に向けて略直角に折り曲げられている。なお基板と端子板２５はケース２１内にインサート成形されている。凹部２３内には、凹部２３の内壁から内側に向かって突出する当接部２４が設けられている。またケース２１の一方の対角位置には上下に貫通する取付穴２７，２７が設けられ、もう一方の対角位置の上面側には凹状の係合部２９，２９が設けられ、下面側の係合部２９，２９の真下位置には下記する第二の電子部品本体部３０の位置決め突起３７，３７を挿入する図示しない凹部が設けられている。
【００２３】
一方ストッパー部材１００は、金属を略円板状に成形して構成されており、その外径寸法は前記凹部２３内に回動自在に収納される寸法であり、その中央にはシャフト１２０を上下動自在に嵌合する挿入穴１０１が設けられ、またその外周側面からは扇型の当接部１０３を突出して設けている。このストッパー部材１００の上面には二本の小突起状の固定部１０５，１０５が設けられている。そしてこのストッパー部材１００の上面にはクリック板１１０が固定される。クリック板１１０は弾性金属板をリング状に形成し、１８０度対向する位置に取付孔１１１，１１１を設けると共に、取付孔１１１，１１１の両側を円弧状のアーム部１１３，１１３とし、各アーム部１１３，１１３の中央に上方向に湾曲する当接部１１５，１１５を設けて構成されている。そしてこのクリック板１１０はストッパー部材１００の上面に載置され、そのときストッパー部材１００の固定部１０５，１０５をクリック板１１０の取付孔１１１，１１１に挿入し、その先端をカシメることで固定される。このストッパー部材１００は、シャフト１２０と一体に回転することで、その当接部１０３が前記ケース２１に設けた当接部２４に当接して、シャフト１２０の回動を制限する。
【００２４】
第二の電子部品本体部３０は回転式スイッチであり、略矩形状を有する箱型の合成樹脂製のケース３１内に、前記シャフト１２０の回転によって駆動される図示しないスイッチ機構が収納されている。またケース３１の側面から外方に向けて突出するように二本の金属製の端子板３９がケース３１にインサート成形されている。この第二の電子部品本体部３０はシャフト１２０によって駆動され、シャフト１２０を右方向に回し切る位置でクリック感覚と共に前記二本の端子板３９間がオンするように構成されている。そしてケース３１の中央には、前記シャフト１２０を挿入する貫通孔３３が設けられ、またケース３１の一方の対角の位置には上下に貫通する取付穴３５，３５が設けられ、もう一方の対角位置の上面側には凸状の位置決め突起３７，３７が設けられ、下面側の位置決め突起３７，３７の真下位置には下記するプッシュロック機構部４０の位置決め突起４９，４９を挿入する図示しない凹部が設けられている。さらに二本の金属製の端子板３９はケース３１の外部に突出した部分のそれぞれ同一部分が上方向（後述するシャフト１２０の軸方向Ｓにおけるシャフト１２０側に向く方向）に向けて略直角に折り曲げられている。
【００２５】
プッシュロック機構部４０は、合成樹脂製でその上部の矩形状に形成された基部４５と基部４５の下端面から突出する横断面略前方後円型の突出部４７とを具備してなるケース４１内に、図示しないプッシュロック機構を収納して構成されている。ケース４１の上面中央には、シャフト１２０の下端を挿入するシャフト挿入穴４３が設けられ、またケース４１上面の一方の対角位置には基部４５を上下に貫通する取付穴４８，４８が設けられ、もう一方の対角位置には凸状の位置決め突起４９，４９が設けられている。このプッシュロック機構部４０は、シャフト挿入穴４３に挿入されて内部のプッシュロック機構に係止されたシャフト１２０をシャフト１２０の軸方向（上下方向）に押し込むことで、シャフト１２０を押し込んだ位置にロックすると共に、再びシャフト１２０を押し込むことで前記ロックを解除してシャフト１２０を元の位置に自動復帰させる機能を有している。
【００２６】
ここで図４はスペーサ部材５０の拡大断面図（図３のＡ−Ａ断面図）である。同図及び図３に示すようにスペーサ部材５０は合成樹脂の一体成形品であり、矩形状に形成された基部５１の対向する両側面から外方（シャフト１２０の軸方向Ｓに直交する方向）に向けて一対の平板状の取付部５３，５３を突出して設け、もう一方の側面（前記第一の電子部品本体部２０の端子板２５や第二の電子部品本体部３０の端子板３９を突出した側の側面）から平板状の端子板保持部５５を外方（シャフト１２０の軸方向Ｓに直交する方向）に向けて突出して設けて構成されている。
【００２７】
基部５１の上下面にはそれぞれ凹部５１ａ，５１ｂが設けられ、その中央にはシャフト１２０を挿通する挿通穴５７が設けられ、また基部５１上面の一方の対角位置には上下に貫通する取付穴５９，５９が設けられ、もう一方の対角位置には凹状の係合部６１，６１が設けられている。なお基部５１の下面の凹部５１ｂ内には、前記クリック板１１０の当接部１１５，１１５を当接してシャフト１２０を回動している間中、微細なクリック感覚を生じるようにする円弧状の微細な凹凸からなるクリック係合部６０（図４参照）が設けられている。また基部５１の下面の一方の対角位置で前記第一の電子部品本体部２０の係合部２９，２９に対向する位置には、係合部２９，２９に挿入される小突起状の位置決め突起５４，５４（図４にその一方のみ示す）が設けられている。
【００２８】
各取付部５３は矩形平板状であって、その平面状の上面を下記する基板２００に取り付ける基板取付面５６とし、基板取付面５６の略中央に上方向（後述するシャフト１２０の軸方向Ｓにおけるシャフト１２０側に向く方向）に向かって突出する係合部６３を設けて構成されている。係合部６３は図１に示すように、この係合部６３を下記する基板２００の基板係合部２０３（図５参照）にスナップイン係合によって固定するように、弾性を有する一対の突起部６５，６５の先端に先端方向に向かって先細りとなる係止爪６７，６７を設けて構成されている。各係合部６３の根元部分周囲には開口６９が設けられている。なお基板取付面５６と係止爪６７の下端部との離間距離は下記する基板２００の厚みとほぼ同一にしている。
【００２９】
端子板保持部５５は矩形平板状であって、前記三本の端子板２５の先端側部分と二本の端子板３９の先端側部分に対向する位置にそれぞれ各端子板２５，３９を挿通するスリット形状の貫通孔からなる保持部７１を設けて構成されている。各保持部７１の各端子板２５，３９を挿入する側（下面側）の開口の周囲の辺は、この開口の内径が保持部７１内部の内径に比べて広がるテーパ面７３（図４参照）となっている。テーパ面７３は開口の４辺全てに設けているが、１〜３辺のみに設けてもよい。
【００３０】
ここでこの実施形態においては、取付部５３の基板取付面５６と端子板保持部５５の上面５８との間に段差を設け、基板取付面５６の高さ位置に比べて端子板保持部５５の上面５８の高さ位置を図６に示す隙間ｔ１の寸法分だけ低くなるように構成している。
【００３１】
軸受部材９０はダイカスト製で、スペーサ部材５０の基部５１の上面を覆う寸法形状の略矩形平板状の基部９１を具備し、この基部９１の上面中央から円筒状のシャフト軸支部９３を突出して構成されている。シャフト軸支部９３の中央には上下に貫通してシャフト１２０を回動自在に支持する挿通孔９５が設けられており、また基部９１の一方の対角位置（前記スペーサ部材５０の取付穴５９，５９に対向する位置）には基部９１を上下に貫通する取付穴９７，９７が設けられ（図３では一方のみ示す）、もう一方の対角の位置の下面側（前記スペーサ部材５０の係合部６１，６１に対向する位置）には凸状の位置決め突起９９，９９（図３では一方のみ示す）が設けられている。なおこの軸受部材９０の機能は、シャフト１２０を軸方向Ｓに収納してこの方向へのガイド及び斜めからの力が加わっても電子部品本体部２０，３０を壊さないようにするというものである。
【００３２】
シャフト１２０は略円柱状の金属製の棒部材であり、その下端には前記プッシュロック機構部４０内部のプッシュロック機構に係合される係合部１２１が設けられ、またその下端部から上方に向かって所定寸法の部分にはその両側面を平行にカットすることで横断面略小判型の嵌合部１２３を設けて構成されている。
【００３３】
固定ピン１３０は細い円柱状の金属製の棒部材であり、その下端部にその外径を大きくしてなる頭部１３１を設けて構成されている。固定ピン１３０の長さは組み立てた回転式電子部品１０の軸受部材９０の基部９１上面からプッシュロック機構部４０の基部４５の下面までの距離より少し長い寸法に形成されている。
【００３４】
そして回転式電子部品１０の組み立ては、シャフト１２０の軸方向Ｓに沿って以下の各部品を順次積層する方法に基づく。つまりシャフト１２０の下端部側を、軸受部材９０の挿通孔９５と、スペーサ部材５０の挿通穴５７と、クリック板１１０を固定したストッパー部材１００の挿入穴１０１及び第一の電子部品本体部２０と、第二の電子部品本体部３０の貫通孔３３とにこの順番で貫通し、さらに第二の電子部品本体部３０の下面から突出したシャフト１２０の先端をプッシュロック機構部４０のシャフト挿入穴４３に挿入して内部のプッシュロック機構に係合し、これら各部材を積層する。このとき軸受部材９０の下面に設けた位置決め突起９９，９９がスペーサ部材５０上面の係合部６１，６１に挿入されて位置決めされ、またスペーサ部材５０の下面に設けた位置決め突起５４，５４が第一の電子部品本体部２０上面の係合部２９，２９に挿入されて位置決めされ、第二の電子部品本体部３０の上面に設けた位置決め突起３７，３７が第一の電子部品本体部２０下面の図示しない凹部に挿入されて位置決めされ、さらにプッシュロック機構部４０上面に設けた位置決め突起４９，４９が第二の電子部品本体部３０下面の図示しない凹部に挿入されて位置決めされる。
【００３５】
また第一の電子部品本体部２０をスペーサ部材５０の下面側に積層・設置する際と、第二の電子部品本体部３０を第一の電子部品本体部２０の下面側に積層・設置する際は、何れも各端子板２５，３９の先端をスペーサ部材５０の端子板保持部５５の各保持部７１に挿入して端子板保持部５５の上面５８側に突出させる。端子板２５，３９を保持部７１に挿入する際、保持部７１の下面側の開口周辺はテーパ面７３（図４参照）となっているので、その挿入が容易に行える。
【００３６】
そして二本の固定ピン１３０，１３０を、プッシュロック機構部４０の基部４５の下面側から、プッシュロック機構部４０に設けた取付穴４８，４８と、第二の電子部品本体部３０の取付穴３５，３５と、第一の電子部品本体部２０の取付穴２７，２７と、スペーサ部材５０の取付穴５９，５９と、軸受部材９０の取付穴９７，９７とに挿入し、軸受部材９０の上面側に突出した固定ピン１３０，１３０の先端をカシメ、これによって上記各部材を一体化する。これによって図１，図２に示す回転式電子部品１０が完成する。両図に示すように、両端子板２５，３９の先端位置は同一高さ位置となっている。
【００３７】
図５は以上のようにして構成された回転式電子部品１０の基板２００への取り付け方法を示す斜視図である。ここで基板２００は積層板等の硬質基板であり、回転式電子部品１０の軸受部材９０の基部９１とスペーサ部材５０の基部５１とを挿入する矩形状の貫通部２０１と、貫通部２０１の両側部の前記回転式電子部品１０の係合部６３，６３に対向する位置に設けられる貫通孔からなる一対の基板係合部２０３，２０３と、回転式電子部品１０の各端子板２５，３９に対向する位置に設けられてこれら各端子板２５，３９を挿入する小径の貫通孔からなる五つの端子板接続部２０５とを具備して構成されている。基板２００上面の各端子板接続部２０５の周囲には、それぞれ図示しない回路パターンが設けられている。
【００３８】
そして図５において、基板２００の下面側から基板２００の貫通部２０１内に回転式電子部品１０のシャフト１２０及び軸受部材９０の基部９１及びスペーサ部材５０の基部５１を挿入して基板２００の上面側に突出させ、同時に基板２００の両基板係合部２０３，２０３に回転式電子部品１０の係合部６３，６３を挿入して両係合部６３，６３の係止爪６７，６７をスナップインによって基板２００の上面側に係止する。つまり係止爪６７はその先端側が先細りになっているので基板係合部２０３への挿入が容易に行え、弾性を有する両突起部６５，６５が内側に撓むことで係止爪６７の径の大きい根元側の部分も容易に基板係合部２０３に挿入でき、この係止爪６７の径の大きい根元側の部分が基板２００の上面に突出することで両突起部６５，６５の撓みが解消されて開き、そのスナップイン係合を容易且つ確実に行えるようにしている。なお前述のように取付部５３の基板取付面５６と係止爪６７の根元側部分との離間距離は基板２００の厚みとほぼ同一にしているので、このスナップイン係合によって、回転式電子部品１０の基板取付面５６は基板２００の下面に密着し、ガタなく固定される。
【００３９】
このとき同時に回転式電子部品１０の各端子板２５，３９の先端も基板２００の各端子板接続部２０５に挿入され、基板２００の上面側に突出する。本実施形態においては、各端子板２５，３９が端子板保持部５５の各保持部７１に挿入されて保持されているので、たとえ各端子板２５，３９の長さが長く、また途中で屈曲させることで屈曲位置や屈曲角度に誤差が生じても、各端子板２５，３９の先端の位置をそれぞれ確実に所定の位置に設置することができ、従ってこれら各端子板２５，３９の基板２００の各端子板接続部２０５への挿入が確実に行えるようになる。
【００４０】
そして各端子板接続部２０５に挿入された各端子板２５，３９の先端を基板２００の各端子板接続部２０５の周囲に設けた図示しない回路パターンに半田金属等２０７（図６参照）によって溶融固定すれば、基板２００と回転式電子部品１０間の電気的接続が完了する。
【００４１】
即ち以上のようにして、本願請求項１に記載の発明である、内部から突出するシャフト１２０を回転及び／又はシャフト１２０の軸方向に押圧することでその電気的出力を変化する電子部品１０と、基板２００とを具備し、前記基板２００に設けた貫通部２０１に前記電子部品１０のシャフト１２０を挿入した状態で前記電子部品１０を前記基板２００に固定する基板２００への電子部品１０の取付構造において、前記電子部品１０は、この電子部品１０に設けた係合部６３を前記基板２００に設けた基板係合部２０３にスナップイン係合によって取り付けることで基板２００に固定される取付構造が構成される。
【００４２】
また以上のようにして、本願請求項４に記載の発明である、内部から突出するシャフト１２０を回転及び／又はシャフト１２０の軸方向に押圧することでその電気的出力を変化する電子部品１０と、基板２００とを具備し、前記基板２００に設けた貫通部２０１に前記電子部品１０のシャフト１２０を挿入した状態で前記電子部品１０を前記基板２００に固定する基板２００への電子部品１０の取付構造において、前記電子部品１０の側面から突出する端子板２５，３９を、前記基板２００側に折り曲げ、前記折り曲げた端子板２５，３９の先端側の部分を前記電子部品１０の側面から突出するように設けた端子板保持部５５に保持した上で、前記基板２００に設けた端子板接続部２０５に接続する取付構造が構成される。
【００４３】
そして図６に示すように、基板２００に固定された回転式電子部品１０のシャフト１２０の先端に略円柱状の操作つまみ１４０を固定し、さらに基板２００の上に電子機器の外装用ケース３００を設置してこの外装用ケース３００に設けた貫通孔３０１から前記操作つまみ１４０のみを露出する。図６はシャフト１２０をシャフト１２０の軸方向Ｓに沿って押し込んでプッシュロックした状態を示しており、これは回転式電子部品１０の不使用時の状態である。そして回転式電子部品１０を操作する際は、操作つまみ１４０を押し込むことでプッシュロック機構部４０によるシャフト１２０のロックを解除し、シャフト１２０及び操作つまみ１４０を図６に点線で示すように外装用ケース３００の上面から突出させる。この状態で操作つまみ１４０を回動すれば、前記第一，第二の電子部品本体部２０，３０を操作できる。即ち操作つまみ１４０を右回りに回動すれば、前記図３に示すストッパー部材１００によって操作つまみ１４０が回動できなくなる直前に第二の電子部品本体部３０の両端子板３９，３９間がオンし、一方操作つまみ１４０を前記位置より左回りに回動していけば第二の電子部品本体部３０の両端子板３９，３９間がオフすると共に、第一の電子部品本体部２０の各端子板２５間の抵抗値が変化していく。操作つまみ１４０による操作を終了した際は、再び操作つまみ１４０を押し込んでロックし、図６に実線で示す位置に操作つまみ１４０を位置させて、その操作ができないようにする。
【００４４】
ところでこの実施形態においては、前述のように、スペーサ部材５０の基板取付面５６の高さ位置に比べて端子板保持部５５の上面５８の高さ位置を若干低くすることで、図６に示すように端子板保持部５５の上面５８と基板２００の下面の間に隙間ｔ１を設けている。このように構成したのは以下の理由による。即ち各端子板２５，３９の先端位置を確実に基板２００の各端子板接続部２０５に対向する位置に設置するには、できるだけ各端子板２５，３９の先端に近い部分を保持部７１で保持するのが良い。従ってこの点を考えれば、端子板保持部５５の上面５８を基板取付面５６と同一高さとしてこの上面５８を基板２００の下面に当接するのが良い。しかしながらこのように構成すると、各端子板２５，３９を半田付けによって基板２００の回路パターンに接続する際、半田付けの熱が端子板２５，３９及び基板２００から直接端子板保持部５５に伝わって合成樹脂製の端子板保持部５５を高熱とし、熱変形してしまう恐れがある。そこでこの実施形態では、基板２００の下面と端子板保持部５５の上面５８との間に隙間ｔ１を設け、この隙間ｔ１部分で端子板２５，３９から端子板保持部５５に伝わろうとする熱を空気中に逃がし、これによって端子板保持部５５の変形を防止しているのである。なおこのような熱変形の恐れがないような場合は、隙間ｔ１は設けなくても良い。
【００４５】
以上本明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では回転式電子部品１０を二つの電子部品本体部２０，３０を積層して構成したが、回転式電子部品は一つ又は三つ以上の電子部品本体部を積層して構成しても良い。また電子部品本体部も、回転式スイッチや回転式可変抵抗器に限定されず、他の各種回転式電子部品であってもよく、さらに押釦スイッチ等の回転式以外のシャフトによって操作される電子部品であっても良い。基板２００も必ずしも硬質基板でなくても良く、例えば硬質板の上にフレキシブル基板を載置したものであっても良い。この場合は硬質板とフレキシブル基板が一つの基板を構成する。
【００４６】
また電子部品の基板へのスナップイン係合固定構造は上記実施形態の構造に限定されず、他の種々の構成のスナップイン係合固定構造であっても良く、要は電子部品に設けた係合部を基板に設けた基板係合部にスナップイン係合によって取り付けることで電子部品を基板に固定する構造であればどのような構造であっても良い。
【００４７】
また上記実施形態では回転式電子部品１０を基板２００にスナップイン係合で固定する係合部６３と端子板保持部５５とを同一の成形品であるスペーサ部材５０に設け、これによって部品点数の増加を防止しているが、場合によってはこれら係合部６３と端子板保持部５５とを別部品として回転式電子部品に取り付けても良い。
【図面の簡単な説明】
【００４８】
【図１】本発明の一実施形態にかかる回転式電子部品１０を示す斜視図である。
【図２】本発明の一実施形態にかかる回転式電子部品１０を示す図であり、図２（ａ）は平面図、図２（ｂ）は側面図である。
【図３】回転式電子部品１０の分解斜視図である。
【図４】スペーサ部材５０の断面図（図３のＡ−Ａ断面図）である。
【図５】回転式電子部品１０の基板２００への取り付け方法を示す斜視図である。
【図６】基板２００への回転式電子部品１０の取付構造を示す図である。
【図７】従来の基板４００への電子部品４５０の取付構造を示す図である。
【符号の説明】
【００４９】
１０  回転式電子部品（電子部品）
２０  第一の電子部品本体部
２５  端子板
３０  第二の電子部品本体部
３９  端子板
４０  プッシュロック機構部
５０  スペーサ部材
５１  基部
５３  取付部
５５  端子板保持部
５６  基板取付面
５８  上面
６３  係合部
６５  突起部
６７  係止爪
７１  保持部
７３  テーパ面
ｔ１  隙間
９０  軸受部材
１２０  シャフト
１３０  固定ピン
２００  基板
２０１  貫通部
２０３  基板係合部
２０５  端子板接続部
【図１】
2005203322.tif 000003
【図２】
2005203322.tif 000004
【図３】
2005203322.tif 000005
【図４】
2005203322.tif 000006
【図５】
2005203322.tif 000007
【図６】
2005203322.tif 000008
【図７】
2005203322.tif 000009